(57)【要約】【課題】  荷物を迅速かつ確実に固定することができる荷物固定具を提供する点にある。【解決手段】  移動する荷台３上に搭載される荷物４の外面に沿ってベルト９を巻回して荷台３に荷物４を固定することにより移動中に荷台３からの荷物４の位置ずれや荷物の落下を防止するための荷物固定具において、荷台３又は荷台に付設される部材に設置されるケーシング８内にベルト９を巻き取り収納するための回転部材を巻き取り方向に回転付勢した状態で設け、ケーシング８内から回転付勢力に抗して引き出して荷物の外面に沿って巻回したベルト９の先端を荷台３又は荷台に付設される部材１に連結して荷物４を固定するための連結手段を設け、ベルト９を所定長さ分引き出した引き出し位置でベルトを保持させるためのベルト保持機構を設けた。【選択図】    図１
2005178807.tif 000002
【特許請求の範囲】
【請求項１】
移動する荷台上に搭載される荷物の外面に沿ってベルトを巻回して該荷台に荷物を固定することにより移動中に荷台からの荷物の位置ずれや荷物の落下を防止するための荷物固定具において、前記荷台又は荷台に付設される部材に設置されるケーシング内に前記ベルトを巻き取り収納するための回転部材を巻き取り方向に回転付勢した状態で設け、前記ケーシング内から回転付勢力に抗して引き出して荷物の外面に沿って巻回した前記ベルトの先端を前記荷台又は荷台に付設される部材に連結して該荷物を固定するための連結手段を設け、前記ベルトを所定長さ分引き出した引き出し位置で該ベルトを保持させるためのベルト保持機構を設けてなる荷物固定具。
【請求項２】
前記荷台が、手押し用の取手を備えた台車の荷台であり、前記連結手段が、前記荷台に付設される部材である取手に前記引き出したベルトの先端を巻回して折り返してから係着するために該ベルトの先端の同一面側に備えられた雄雌の面ファスナーから構成してなる請求項１記載の荷物固定具。
【請求項３】
前記ベルト保持機構が、前記回転部材から繰り出されるベルトを前記ケーシングの内面に押し付けるために該ケーシング内に備えさせた押付具と、この押付具を前記ベルトをケーシング内面に押し付けるベルト保持位置と該ベルトから離間してベルトを繰り出し可能とする保持解除位置とに位置変更させるために該ケーシングの外部に突出させた操作部とから構成してなる請求項１又は２記載の荷物固定具。
【請求項４】
前記ベルトの先端にケーシングのベルト出入り口に接当するリング部材を連結し、前記回転部材から繰り出されるベルトを接当案内してベルトの姿勢を整えてケーシング外へ繰り出すための姿勢案内筒部を前記ケーシングのベルト出入り口から延出してなる請求項１〜３のいずれかに記載の荷物固定具。
【請求項５】
前記荷台の底面に前記ケーシングに備えさせたブラケットに対して該ケーシングから繰り出されるベルトの繰り出し方向とほぼ直交する方向から係止及び係止解除自在に構成された係止具を取り付けてなる請求項２記載の荷物固定具。
【発明の詳細な説明】
【技術分野】
【０００１】
本発明は、移動する荷台、例えばパレットや取手付の台車の荷台上に搭載される荷物の外面に沿ってベルトを巻回して荷台に荷物を固定することにより、移動中に荷物が荷台から位置ずれを起こしたり、落下することを防止するように構成した荷物固定具に関する。
【背景技術】
【０００２】
上記荷物固定具としては、例えば、荷物を搭載するための荷物搬送台に荷物固定用ベルトを係止するための係止部を備えさせ、その係止部に係止された荷物固定用ベルトを荷物の外面に沿って巻回してから、そのベルトの先端に備えさせた雄雌の一対の面ファスナーを係着することにより、荷物搬送台に荷物を固定することができるようにしている（例えば特許文献１参照）。
【特許文献１】特開平９−３２３７１０号公報（図５）
【発明の開示】
【発明が解決しようとする課題】
【０００３】
上記特許文献１に示されている荷物固定用ベルトは、所定長さになっているため、荷物搬送台に搭載される荷物の大きさや個数によっては巻回できない場合が発生し、寸法の異なる荷物固定用ベルトを何本も用意していなければならないだけでなく、別の荷物固定用ベルトに付け替える作業が煩わしく、荷物の固定作業を迅速に行うことができないものであった。
また、荷物に対して強く巻き付けることができないだけでなく、単一の方向でしか巻き付けることができないため、重量のある荷物などはベルトが移動中に荷物から外れてしまうこともあった。
【０００４】
本発明が前述の状況に鑑み、解決しようとするところは、荷物を迅速かつ確実に固定することができる荷物固定具を提供する点にある。
【課題を解決するための手段】
【０００５】
本発明は、前述の課題解決のために、移動する荷台上に搭載される荷物の外面に沿ってベルトを巻回して該荷台に荷物を固定することにより移動中に荷台からの荷物の位置ずれや荷物の落下を防止するための荷物固定具において、前記荷台又は荷台に付設される部材に設置されるケーシング内に前記ベルトを巻き取り収納するための回転部材を巻き取り方向に回転付勢した状態で設け、前記ケーシング内から回転付勢力に抗して引き出して荷物の外面に沿って巻回した前記ベルトの先端を前記荷台又は荷台に付設される部材に連結して該荷物を固定するための連結手段を設け、前記ベルトを所定長さ分引き出した引き出し位置で該ベルトを保持させるためのベルト保持機構を設けて、荷物固定具を構成した。
荷台に固定されているケーシングからベルトを引き出して、荷台に搭載されている荷物の外面に沿って巻回してから、ベルトの先端を荷台に連結し、この後、ベルトを引き出した長さの状態でベルト保持機構にて保持させることによって、荷物を荷台に固定することができるのである。尚、前記荷台は、台車の荷台やパレットの他、自動車やトラックの荷台も含むものとする。
【０００６】
前記荷台が、手押し用の取手を備えた台車の荷台であり、前記連結手段が、前記荷台に付設される部材である取手に前記引き出したベルトの先端を巻回して折り返してから係着するために該ベルトの先端の同一面側に備えられた雄雌の面ファスナーから構成してもよい。
【０００７】
前記ベルト保持機構が、前記回転部材から繰り出されるベルトを前記ケーシングの内面に押し付けるために該ケーシング内に備えさせた押付具と、この押付具を前記ベルトをケーシング内面に押し付けるベルト保持位置と該ベルトから離間してベルトを繰り出し可能とする保持解除位置とに位置変更させるために該ケーシングの外部に突出させた操作部とから構成してもよい。
【０００８】
前記ベルトの先端にケーシングのベルト出入り口に接当するリング部材を連結し、前記回転部材から繰り出されるベルトを接当案内してベルトの姿勢を整えてケーシング外へ繰り出すための姿勢案内筒部を前記ケーシングのベルト出入り口から延出してもよい。
【０００９】
前記荷台の底面に前記ケーシングに備えさせたブラケットに対して該ケーシングから繰り出されるベルトの繰り出し方向とほぼ直交する方向から係止及び係止解除自在に構成された係止具を取り付けてもよい
【発明の効果】
【００１０】
荷台に設置されるケーシング内にベルトを巻き取り収納するための回転部材を巻き取り方向に回転付勢した状態で設け、ケーシング内から回転付勢力に抗して引き出して荷物の外面に沿って巻回したベルトの先端を荷台又は荷台に付設の部材に連結して荷物を固定するための連結手段を設け、ベルトを所定長さ分引き出した引き出し位置でベルトを保持させるためのベルト保持機構を設けて、荷物固定具を構成することによって、荷物の大きさに合わせて必要な長さだけベルトを引き出してその引き出した長さで確実に保持することができるだけでなく、荷物にベルトを巻回する方向を一方向だけでなく、他の方向からも行えるから、荷物の大きさや荷物を搭載する個数に無関係に荷物を荷台に強固に固定することが可能になり、荷台に荷物を迅速かつ確実に固定することができる荷物固定具を提供することができる。
【００１１】
荷台が、手押し用の取手を備えた台車の荷台であり、連結手段が、荷台に付設される部材である取手に引き出したベルトの先端を巻回して折り返してから係着するためにベルトの先端の同一面側に備えられた雄雌の面ファスナーから構成することによって、連結及び連結解除する時間を短時間にすることができ、荷物の固定を更に迅速に行うことができる。
【００１２】
ベルト保持機構が、回転部材から繰り出されるベルトをケーシングの内面に押し付けるためにケーシング内に備えさせた押付具と、この押付具をベルトをケーシング内面に押し付けるベルト保持位置とベルトから離間してベルトを繰り出し可能とする保持解除位置とに位置変更させるためにケーシングの外部に突出させた操作部とから構成することによって、操作部にて押付具をベルト保持位置に位置させてベルトをケーシングの内面に押し付けて固定するものであるから、荷物によってベルトに対する押付具の押し付け力を変更することができ、どのような荷物であっても確実に固定することができるだけでなく、ベルトに大きな引っ張り力が作用した場合に、内面との摩擦力に抗してベルトが引っ張られるだけで済み、部品の破損などのトラブル発生を回避することができる。
【００１３】
ベルトの先端にケーシングのベルト出入り口に接当するリング部材を連結し、回転部材から繰り出されるベルトを接当案内してベルトの姿勢を整えてケーシング外へ繰り出すための姿勢案内筒部をケーシングのベルト出入り口から延出することによって、ベルトが折れ曲がって回転部材に巻き取られることを回避することができるだけでなく、ベルトの繰り出し及び巻き取りをスムーズに行うことができる。しかも、リング部材を延出された姿勢案内筒部の先端から容易に掴んでベルトを引き出すことができる。
【００１４】
荷台の底面にケーシングに備えさせたブラケットに対してケーシングから繰り出されるベルトの繰り出し方向とほぼ直交する方向から係止及び係止解除自在に構成された係止具を取り付けることによって、ケーシングを邪魔にならない荷台の底面に対してケーシングを迅速に取り付けることができ、しかも不要時にはケーシングを荷台から迅速に取り外すことができる。
【発明を実施するための最良の形態】
【００１５】
図１に、折り畳み式のほぼ門形で金属製のパイプを折り曲げて構成された取手（合成樹脂や木などであってもよい）１と下面に４個のキャスター２（図では３個のみ示している）を備えた荷台３とからなる台車に荷物である２個の段ボール箱４を荷物固定具５にて固定した状態を示している。前記取手１の左右の縦パイプ部１Ａ，１Ａの上下中間同士を補強板６にて連結し、左右の縦パイプ部１Ａ，１Ａの下端部に固定解除用の棒状の解除バー７を架け渡している。そして、前記解除バー７を下方に押し込むことによって、前記取手を下端の水平軸芯周りで荷台３の上面に接当させた収納姿勢に揺動させることができるようにしているが、折り畳みのできない固定式の取手であってもよい。又、前記取手１のない台車やパレットの他、自動車やトラックなどの荷台に荷物を固定する場合に、本発明は適用することができる。図１では、ベルト９を荷台３の一方向（移動方向又は前後方向）にのみ巻回している場合を示しているが、他の方向（移動方向と直交する方向又は左右方向）に巻回したり、両方向に巻回して実施してもよい。
【００１６】
前記荷物固定具５は、図１、図２及び図６（ａ），（ｂ）に示すように、前記荷台３の前端の下面（後端でもよいし、左右端のいずれか一方でもよい）に設置される２つの半割ケース８Ａ，８Ａからなるケーシング８内に前記段ボール箱４の外面に巻回するためのベルト９を巻き取り収納するための中心の軸芯Ｘ周りで回転自在な回転部材１０を巻き取り方向に図示していないバネにて回転付勢した状態で設け、前記ケーシング８内から回転付勢力に抗してケーシング８のベルト出入り口（開口）８Ｋを通して引き出して荷物４の外面に沿って巻回したベルト９の先端を前記荷台３に付設される部材である前記取手１の上端の水平パイプ部１Ｂに連結して段ボール箱４を固定するための連結手段１１を設け、前記ベルト９を所定長さ分引き出した引き出し位置でベルト９を保持させるためのベルト保持機構１２を設けている。図１では、荷台３の下面に荷物固定具５のケーシング８を取り付けることによって、移動中に荷物固定具５に他物が接当することや荷台３上に搭載する荷物の邪魔にならない利点があるが、取手１に取り付けてもよく、台車のどの位置に荷物固定具５を取り付けて実施してもよい。
【００１７】
前記ベルト９は、全長が１．５ｍ以上の薄い帯板状に構成され、布、合成樹脂、革、合成皮革などの引っ張り強度に対して所定の大きさを有する各種の材料から構成されている。
前記連結手段１１は、図５に示すように、前記荷台３の取手１に前記引き出したベルト９の先端を巻回して折り返してから係着するために該ベルト９の先端の同一面側に縫いつけられた（接着剤などで貼り付けてもよい）雄雌の面ファスナー１１Ａ，１１Ｂから構成している。前記面ファスナー１１Ａ，１１Ｂのうち、ベルト９の先端側から離れる側に配置された面ファスナー１１Ｂをベルト９の先端側に位置する面ファスナー１１Ａよりも長くしておくことによって、両者とも短い同一長さにしている場合に比べて、両者の係着作業を迅速に行うことができる利点があるが、両者とも同一の短い長さにして実施してもよい。
【００１８】
前記ベルト９の先端にケーシングのベルト出入り口に接当する合成樹脂製（金属製や木製であってもよい）で環状のリング部材１３を連結して、ベルト９を引き出しやすいようにしている。前記ベルト９の先端を２回以上重ね合わせてベルト９を引き出すための引き出し部を構成することで、前記リング部材１３を省略してもよい。
【００１９】
前記ベルト保持機構１２は、図６（ａ），（ｂ）に示すように、前記回転部材１０から繰り出されるベルト９を前記ケーシング８の内面８Ｂに押し付けるために該ケーシング８内に備えさせた押付具１４と、この押付具１４を前記ベルト９をケーシング内面に押し付けるベルト保持位置と該ベルト９から離間してベルト９を繰り出し可能とする保持解除位置とに位置変更させるために該押付具１４に連動連結されると共に該ケーシング８の外部にスライド自在に突出させた操作部１５とから構成している。従って、図６（ｂ）に示すように、ベルト９を引き出してから操作部１５をケーシング８の出入り口８Ｋに接近する側（ベルト保持位置）へスライド操作することにより、押付具１４がベルト９をケーシング８の内面８Ｂに押し付けることで、ベルト９をその位置にて固定することができ、又、図６（ａ）に示すように、操作部１５をケーシング８の出入り口８Ｋから離間する側（保持解除位置）へスライド操作することにより、ベルト９を押し付けていた押付具１４を離間移動させることで、ベルト９を回転付勢力により巻き取ることができるようにしている。図６（ａ），（ｂ）に示す１６，１７は、スライド移動する前記押付具１４をスムーズに移動案内するための一対のガイド部であり、一方を板状の部材から構成し、他方を円筒状の回転部材から構成しているが、無くてもよい。
【００２０】
図２〜図４に示すように、前記荷台３の底面にケーシング８に備えさせたブラケット１９に対してケーシング８から繰り出されるベルト９の繰り出し方向とほぼ直交する方向から係止及び係止解除自在に構成された係止具１８を３個（何個であってもよい）のビスにて取り付ける（溶接などにて取り付けてもよい）ことによって、ケーシング８を邪魔にならない荷台３の底面に対してケーシング８を迅速に取り付けることができ、しかも不要時にはケーシング８を荷台３から迅速に取り外すことができるようにしている。
詳述すれば、前記ブラケット１９は、金属製（合成樹脂製でもよい）の長方形状の板状部材を折り曲げて両端にビスにて荷台３の底面に取り付けるためのビス孔が形成された取付部１９Ｂ，１９Ｂを備えさせ、これら取付部１９Ｂ，１９Ｂの間に荷台３の底面との間に空間を形成するためのほぼＵの字状の被係止部１９Ａとからなり、又、前記係止具１８は、一枚の金属製（合成樹脂製でもよい）の板状部材からなり、前記ケーシング８の側面にビス止めされる固定部１８Ｃと、この固定部１８Ｃの両端から延出されると共に前記取付部１９Ｂ，１９Ｂの間に挿入可能な幅を有する一対の延出部１８Ａ，１８Ｂからなり、前記延出部１８Ａ，１８Ｂのうちの一方１８Ａを、固定部１８Ｃの表裏両面のうちのケーシング８の取り付け面側である裏面側へ９０度よりも少し大きな角度折り曲げて延出部１８Ａの先端がケーシング８に接触する又は接近するように傾斜姿勢となる状態にし、他方１８Ｂを前記固定部１８Ｃの表面側へ１８０度よりも少し大きな角度折り曲げて該延出部１８Ｂの先端部が固定部１８Ｃの表面に接触する又は接近するように傾斜姿勢となる状態にしている。図２〜図４に示す１８ｂは、ビスを挿通させて固定部１８Ｃをビス止めするために延出部１８Ｂに形成した逃がし孔である。
従って、図３に示すように、一方の延出部１８Ａを荷台３の底面と被係止部１９Ａとの間に形成される空間内に挿入することにより、延出部１８Ａとケーシング８との間に被係止部１９Ａが挟持保持されて、ケーシング８を荷台３に固定することができるようになっている。このとき、リング部材１３を引っ張って荷物を固定する場合に、延出部１８Ａのベルト引っ張り方向前端が被係止部１９Ａに接当してブラケット１９に対してケーシング８が係止解除されることを確実に阻止することができるようにしている。又、図４に示すように、他方の延出部１８を荷台３の底面と被係止部１９Ａに前記のように挟持保持（係止）させて、ケーシング８を荷台３に固定してもよい。このように２つの延出部１８Ａ，１８Ｂを備えさせることによって、図３又は図４に示す２通りの係止保持状態にすることができるが、一方の延出部のみを備えさせた場合でもよいし、又、前記係脱可能にせずにビスなどによりケーシング８を固定する構成であってもよい。
【００２１】
図１では、ベルト９の先端を取手１に巻回して折り返してから面ファスナー１１Ａ，１１Ｂを係着する場合を示したが、図７に示すように、荷台３の底面に前記ブラケット１９（他の形状のブラケットでもよい）をビスなどにより取り付け、このブラケット１９の被係止部１９Ａに、ベルト９の先端を巻回して折り返してから面ファスナー１１Ａ，１１Ｂを係着することにより、ベルト９の先端をブラケット１９に連結する構成であってもよい。
【００２２】
図８に示すように、前記回転部材１０から繰り出されるベルト９を接当案内してベルトの姿勢を整えてケーシング外へ繰り出すための姿勢案内筒部８Ｈを前記ケーシング８のベルト出入り口から延出して実施してもよい。図８では、ケーシング８に姿勢案内筒部８Ｈを一体成形したものを示しているが、別体成形した姿勢案内筒部８Ｈをケーシング８に取り付けたものであってもよい。尚、図８に示している説明しなかった他の構成は、図６（ａ），（ｂ）のものと同一である。
【００２３】
前記ベルト保持機構１２を、図９に示すように構成してもよい。つまり、回転部材１０にギア部２０を備えさせ、このギア部２０に噛み合って回転部材１０の巻き取り方向への回転を阻止するための噛み合い部２１を軸芯Ｙ周りで回転自在にケーシング８内に設けると共にバネ２２により噛み合い部２１を噛み合い方向へ付勢し、前記噛み合い部２１を噛み合い解除側へ揺動操作するためのレバー２３を該噛み合い部２１と一体成形した状態でケーシング８の外部に備えさせて、ベルト保持機構１２を構成している。従って、ベルト９の繰り出し側への回転部材１０の回転を許容しながらも、ベルト９の繰り出しが完了すると、ベルト９の巻き取り側への回転部材１０の回転を阻止し、レバー２３を矢印に示す方向に揺動操作することによりギア部２０に対する噛み合い部２１の噛み合いを解除することで回転部材１０を巻き取り方向へ回転させて、ベルト９を巻き取ることができるようになっている。
【００２４】
前記ベルト９の荷物４に接触する面の一部又は全部に、滑り止め材を塗布したり、滑り止め用のゴムを付設して実施することによって、荷物４との滑りが無くなり、荷物４を確実に荷台３に固定することができ、好ましいが、無くてもよい。
【図面の簡単な説明】
【００２５】
【図１】台車の荷台に搭載された荷物を荷物固定具にて固定した状態を示す斜視図である。
【図２】荷物固定具を荷台に取り付けるための具体的構成を示す要部の分解斜視図である。
【図３】荷物固定具を荷台に係止により取り付ける一例を示す要部の斜視図である。
【図４】荷物固定具を荷台に係止により取り付ける他の例を示す要部の斜視図である。
【図５】ベルトの一部省略の平面図である。
【図６】荷物固定具の縦断側面図を示し、（ａ）はベルト保持機構が解除姿勢になっている状態を示し、（ｂ）はベルト保持機構がベルト保持姿勢になっている状態を示している。
【図７】台車の荷台に搭載された荷物を荷物固定具にて他の固定方向により固定した状態を示す斜視図である。
【図８】他の構成の荷物固定具の縦断側面図である。
【図９】他の構成のベルト保持機構を備えた荷物固定具の縦断側面図である。
【符号の説明】
【００２６】
１  取手
１Ａ  縦パイプ部
２  キャスター
３  荷台
４  段ボール箱（荷物）
５  荷物固定具
６  補強板
７  解除バー
８  ケーシング
８Ｂ  内面
８Ａ  半割ケース
８Ｋ  開口
９  ベルト
１０  回転部材
１１  連結手段
１１Ａ，１１Ｂ  面ファスナー
１２  ベルト保持機構
１３  リング部材
１４  押付具
１５  操作部
１８  係止具
１８Ｃ  固定部
１８Ａ，１８Ｂ  延出部
１９  ブラケット
１９Ｂ  取付部
１９Ａ  被係止部
２０  ギア部
８Ｈ  姿勢案内筒部
２１  ギア部
２２  バネ
２３  レバー
Ｘ，Ｙ  軸芯
【図１】
2005178807.tif 000003
【図２】
2005178807.tif 000004
【図３】
2005178807.tif 000005
【図４】
2005178807.tif 000006
【図５】
2005178807.tif 000007
【図６】
2005178807.tif 000008
【図７】
2005178807.tif 000009
【図８】
2005178807.tif 000010
【図９】
2005178807.tif 000011